(57)【要約】      （修正有）【課題】旨味の薄いコーヒーになってしまうことを防止可能なコーヒー抽出用ろ紙を提供する。【解決手段】上部が開口した略円錐状あるいは略円筒状のコーヒー抽出用ろ紙であって、上部側面１２を不透水部とした。下部側面１３の全部又は一部を不透水部としてもよい。さらに、底面１４の一部を不透水部としてもよい。【選択図】図１
0003204300.tif 000002
【実用新案登録請求の範囲】
【請求項１】
上部が開口した略円錐状あるいは略円筒状のコーヒー抽出用ろ紙であって、上部側面を不透水部としたコーヒー抽出用ろ紙。
【請求項２】
下部側面の全部又は一部を不透水部とした請求項１に記載のコーヒー抽出用ろ紙。
【請求項３】
底面の一部を不透水部とした請求項１又は請求項２に記載のコーヒー抽出用ろ紙。
【請求項４】
不透水部を不透水紙で形成した請求項１乃至請求項３いずれかに記載のコーヒー抽出用ろ紙。
【請求項５】
不透水部がろ紙を樹脂コーティングしたものである請求項１乃至請求項３いずれかに記載のコーヒー抽出用ろ紙。
【考案の詳細な説明】
【技術分野】
【０００１】
本考案はコーヒーカップの上部に支持され、お湯を注いで本格的なドリップコーヒーを抽出可能とするコーヒー抽出用ろ紙に関する。 
【背景技術】
【０００２】
ドリップコーヒーの淹れ方は、図３に示すようにコーヒーポット３の上部開口に円錐状のドリッパー２を嵌め、当該ドリッパー２の中にろ紙１を設置し、ろ紙１の中に入れたコーヒー粉の上からお湯を注ぐというものが一般的である。あるいは、図４に示すようにろ紙４と厚紙製の懸架部材５が一体化され、懸架部材５を構成する係止片５ａをコーヒーカップの開口部に係止したうえで、ろ紙４の中に収容されたコーヒー粉の上からお湯を注ぐというものもある。
【０００３】
特許文献１には、枡形容器の底部にコーヒー粉を収容するフィルタ部を備えたコーヒー抽出体が開示されている。
【０００４】
特許文献２には、ドリッパー下部に設けた抽出口の大きさを可変とすることで、コーヒー抽出速度を可変とし、もって最適な濃度のコーヒーを淹れることを可能としたコーヒー抽出器が開示されている。
【先行技術文献】
【特許文献】
【０００５】
【特許文献１】特開２００１−２４５７９０号公報
【特許文献２】実開昭６３−９５５２７号公報
【考案の概要】
【考案が解決しようとする課題】
【０００６】
コーヒーの味と香りは、すべて水に溶ける可溶成分で、これを煮立てると、香りが失われるだけでなく、不要な成分まで溶解していやな苦みが出てしまう。コーヒーのよい成分だけを抽出してうまみを十分引き出すには、コーヒーを煮るのではなくコーヒーに湯を通してこすドリップ式がコーヒーを淹れる最良の方法だといわれている。
【０００７】
このドリップ式はコーヒーの粉全体に湯をしみ込ませて十分に膨脹させ、少しずつ湯を注いでコーヒー液を抽出することが必要であるが、注湯の仕方が悪いとすぐさま味に影響するので技術的に難しい。
【０００８】
殊に注いだ湯の量が多いと、コーヒー粉が存在する位置よりも上方のろ紙側面からお湯が浸み出し、つまりはコーヒー成分を十分に含まない湯がコーヒーカップ内に滴下してしまい、旨味の薄いコーヒーになってしまうことが多々ある。
【０００９】
同様に注いだ湯の量が多いと、溜まったお湯の圧力で、速度早く、ろ紙から抽出されてしまい、旨味の薄いコーヒーになってしまうことが多々ある。
【００１０】
本考案は、上記問題点を解消可能な、つまりは旨味の薄いコーヒーになってしまうことを防止可能なコーヒー抽出用ろ紙を提供することを目的とする。
【課題を解決するための手段】
【００１１】
上記の目的を達成する本考案の構成は次の通りである。
【００１２】
（１）  請求項１に記載の考案は、上部が開口した略円錐状あるいは略円筒状のコーヒー抽出用ろ紙であって、上部側面を不透水部とした。
【００１３】
（２）  請求項２に記載の考案は、請求項１記載のコーヒー抽出用ろ紙において、下部側面の全部又は一部を不透水部とした。
【００１４】
（３）  請求項３に記載の考案は、請求項１又は請求項２に記載のコーヒー抽出用ろ紙において、底面の一部を不透水部とした。
【００１５】
（４）  請求項４に記載の考案は、請求項１乃至請求項３いずれかに記載のコーヒー抽出用ろ紙において、不透水部を紙で形成した。
【００１６】
（５）  請求項５に記載の考案は、請求項１乃至請求項３いずれかに記載のコーヒー抽出用ろ紙において、ろ紙を樹脂コーティングして不透水部を形成した。
【考案の効果】
【００１７】
上記のように構成される本考案が、如何に作用して課題を解決するかを図面を参照しながら概説する。
【００１８】
図１は略円錐状の形態で実施した、本考案にかかるコーヒー抽出用ろ紙１０を示すものであり、ろ紙１０内部の概ね仮想線１１より下方程度にコーヒー粉が収容されるものである。
【００１９】
請求項１記載の考案では、ろ紙１０の上部側面１２すなわち仮想線１１より上部の側面部位が不透水部に形成してある。それゆえ、お湯を多量に注いでも上部側面１２から湯が浸み出すことはなく、つまりはコーヒー成分を十分に含まない湯がコーヒーカップ内に滴下してしまうことを抑制可能となるのである。
【００２０】
請求項２に記載の考案では、図１における下部側面１３の全部又は一部が不透水部であることから、お湯を注いだ際に当該不透水部からお湯が浸み出すことが無い。ゆえに、仮に多量のお湯を注いでも、ろ紙１０内にけるお湯の滞留時間が長くなり、つまり十分にコーヒー粉から成分が抽出されるものである。つまりは本考案によれば、コーヒー成分を十分に含まない湯がコーヒーカップ内に滴下してしまい、旨味の薄いコーヒーになってしまうことを防ぐことが可能となるのである。
【００２１】
請求項３に記載の考案では、図１における底面１４の一部が不透水部であることから、お湯を注いだ際に当該不透水部からお湯が浸み出すことが無い。ゆえに、仮に多量のお湯を注いでも、ろ紙１０内にけるお湯の滞留時間が長くなり、つまり十分にコーヒー粉から成分が抽出されるものである。つまりは本考案によれば、コーヒー成分を十分に含まない湯がコーヒーカップ内に滴下してしまい、旨味の薄いコーヒーになってしまうことを防ぐことが可能となるのである。
【００２２】
図２は略円筒形状の形態で実施した、本考案にかかるコーヒー抽出用ろ紙２０を示すものであり、ろ紙２０内部の概ね仮想線２１より下方程度にコーヒー粉が収容されるものである。
【００２３】
請求項１記載の考案では、ろ紙２０の上部側面２２すなわち仮想線２１より上部の側面部位が不透水部に形成してある。それゆえ、お湯を多量に注いでも上部側面１２から湯が浸み出すことはなく、つまりはコーヒー成分を十分に含まない湯がコーヒーカップ内に滴下してしまうことを抑制可能となるのである。
【００２４】
請求項２に記載の考案では、図１における下部側面１３の全部又は一部が不透水部であることから、お湯を注いだ際に当該不透水部からお湯が浸み出すことが無い。ゆえに、仮に多量のお湯を注いでも、ろ紙１０内にけるお湯の滞留時間が長くなり、つまり十分にコーヒー粉から成分が抽出されるものである。つまりは本考案によれば、コーヒー成分を十分に含まない湯がコーヒーカップ内に滴下してしまい、旨味の薄いコーヒーになってしまうことを防ぐことが可能となるのである。
【００２５】
請求項３に記載の考案では、図１における底面１４の一部が不透水部であることから、お湯を注いだ際に当該不透水部からお湯が浸み出すことが無い。ゆえに、仮に多量のお湯を注いでも、ろ紙１０内にけるお湯の滞留時間が長くなり、つまり十分にコーヒー粉から成分が抽出されるものである。つまりは本考案によれば、コーヒー成分を十分に含まない湯がコーヒーカップ内に滴下してしまい、旨味の薄いコーヒーになってしまうことを防ぐことが可能となるのである。
【図面の簡単な説明】
【００２６】
【図１】本考案の斜視図
【図２】本考案の斜視図
【図３】従来例の説明図
【図４】従来例の説明図
【考案を実施するための形態】
【００２７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２８】
図１は略円錐状の形態で実施した、本考案にかかるコーヒー抽出用ろ紙１０を示すものであり、図２は略円筒形状の形態で実施した、本考案にかかるコーヒー抽出用ろ紙２０を示すものである。
【００２９】
ろ紙１０、２０共に、一般的なコーヒーフィルターの原紙すなわち、木材パルプ及び非木材パルプを混抄したものを利用可能である。具体的には非木材パルプ繊維に、水保持力が２１０％以上程度の微細繊維状セルロース（ＭＦＣ）を配合したものなどが適している。
【００３０】
請求項４に記載の考案では、不透水部を不透水紙で形成してある。不透水紙としてはラミネート加工された紙などを使用可能である。
【００３１】
請求項５記載の考案では、ろ紙を樹脂コーティングして不透水部を形成してある。具体的にはアクリル樹脂によるコーティング、紫外線硬化樹脂によるコーティングなどを利用可能である。
【００３２】
なお、略円筒形状の形態で実施した本考案にかかるコーヒー抽出用ろ紙２０には、図４に示されるような、係止片を有する懸架部材を配設すれば使い勝手に富むものとなる。
【符号の説明】
【００３３】
１０・・コーヒー抽出用ろ紙
１１・・仮想線
１２・・上部側面
１３・・下部側面
１４・・底面
２０・・コーヒー抽出用ろ紙
２１・・仮想線
２２・・上部側面
２３・・下部側面
２４・・底面
【図１】
0003204300.tif 000003
【図２】
0003204300.tif 000004
【図３】
0003204300.tif 000005
【図４】
0003204300.tif 000006